(57)【要約】【課題】ツインテールのテール部などの髪の毛の束ねた部分を必要に応じてクラウン部外にツインテールのテール部などの髪の毛の束ねた部分を露出させた状態に着用できる帽子を提供することを目的としている。【解決手段】ニット帽のクラウン部１ａの両側壁の対称位置にスリット状をした束ねた髪の毛を挿通可能な髪の毛挿通孔２ａを設け、帽子Ａを頭に被った状態で、ツインテールに束ねた髪の毛の束Ｈ１を髪の毛挿通孔２ａを介して外部に露出させることができるようにした。【選択図】      図３
2018119239.tif 000002
【特許請求の範囲】
【請求項１】
束ねた髪の毛を挿通可能な髪の毛挿通孔が、クラウン部の壁面に穿設されていることを特徴とする帽子。
【請求項２】
クラウン部の両側方に髪の毛挿通孔が穿設されている請求項１に記載の帽子。
【請求項３】
髪の毛挿通孔からクラウン部外に露出する髪の毛を覆うように装着される袋状カバーを備えている請求項１または請求項２に記載の帽子。
【請求項４】
髪の毛挿通孔の周囲に髪の毛挿通孔からクラウン部外に露出する髪の毛をまとめる紐状体が、その一部を前記髪の毛挿通孔を臨ませるように、クラウン部に固定されている請求項１〜請求項３のいずれかに記載の帽子。
【発明の詳細な説明】
【技術分野】
【０００１】
本発明は、たとえば、サイドテール、ツインテールやポニーテールなどのように髪の毛をリボンやシュシュなどによって束ねて形成したテール部を必要に応じて帽子の外部に露出させて着用できる帽子に関する。
【背景技術】
【０００２】
若い女性、特に、ティーンエイジャーなどは、おしゃれのために、髪の毛を、ワンサイドに束ねるサイドテールや、両サイドに束ねるツインテールや、後頭部に束ねるポニーテールなどと称される髪型にする場合がある。
しかし、日差しを避けたり、防寒やおしゃれのために、帽子をかぶろうとすると、折角のツインテールやポニーテールのテール部分が帽子を着用する際の邪魔になったり、折角のリボンやシュシュ等が外部から見えず、ファッション性が損なわれたりする。
【発明の概要】
【発明が解決しようとする課題】
【０００３】
本発明は、上記事情に鑑みて、ツインテールのテール部などの髪の毛の束ねた部分を必要に応じてクラウン部外にツインテールのテール部などの髪の毛の束ねた部分を露出させた状態に着用できる帽子を提供することを目的としている。
【課題を解決するための手段】
【０００４】
上記目的を達成するために、本発明にかかる帽子（以下、「本発明の帽子」と記す）は、束ねた髪の毛を挿通可能な髪の毛挿通孔が、クラウン部の壁面に穿設されていることを特徴としている。
【０００５】
本発明において、クラウン部とは、帽子の頭に直接被さる部分を意味し、キャップやハットの鍔部などは含まない。
また、本発明において、帽子とは、特に限定さえず、キャップ、ハット、ニット帽、ハンチング帽、ベレー帽、目だし帽などが挙げられる。
【０００６】
本発明の帽子は、特に限定されないが、たとえば、クラウン部の両側方に髪の毛挿通孔が穿設されている構成としてもよい。
すなわち、かかる構成にすることによって、クラウン部からツインテールなど、左右に束ねた髪の毛を髪の毛挿通孔からクラウン部外に出すことができる。
【０００７】
本発明の帽子は、特に限定されないが、髪の毛挿通孔からクラウン部外に露出する髪の毛を覆うように装着される袋状カバーを備えていてもよい。
すなわち、たとえば、クラウン部を動物の頭、袋状カバーを動物の耳様に装飾したものとすれば、ファッション性の豊かな帽子とすることができる。
【０００８】
本発明の帽子は、特に限定されないが、髪の毛挿通孔の周囲に髪の毛挿通孔からクラウン部外に露出する髪の毛をまとめる紐状体が、その一部を前記髪の毛挿通孔を臨ませるように、クラウン部に固定されている構成としてもよい。
すなわち、上記のような構成とすれば、髪の毛挿通孔に挿通された髪の毛の束の根元部分を紐状体によって結束することができ、髪の毛を介して帽子を頭にしっかりと固定状態にすることができる。
【０００９】
本発明の帽子の形状としては、特に限定されず、たとえば、キャップ形状、ハット形状、ハンチング形状などが挙げられる。
【発明の効果】
【００１０】
本発明にかかる帽子は、以上のように、束ねた髪の毛を挿通可能な髪の毛挿通孔が、帽子本体の壁面に穿設されているので、束ねた髪の毛をクラウン部外に露出させた状態で着用が可能である。
すなわち、ツインテールなどの髪の毛の一部を束ねたヘアースタイルにおいて、束ねた部分を必要に応じて外部に露出させたり、通常の帽子の被り方をしたりと好みのスタイルで帽子を被ることができる。
【図面の簡単な説明】
【００１１】
【図１】本発明にかかる帽子の第１の実施の形態をあらわす側面図である。
【図２】図１の帽子の使用状態をあらわす正面図である。
【図３】図２の髪の毛挿通孔部分を斜め上からみた斜視図である。
【図４】本発明にかかる帽子の第２の実施の形態をあらわし、その左側面図である。
【図５】図４の帽子の右側面図である。
【図６】本発明にかかる帽子の第３の実施の形態をあらわし、その正面図である。
【図７】本発明にかかる帽子の第４の実施の形態をあらわし、その正面図である。
【発明を実施するための形態】
【００１２】
以下に、本発明を、その実施の形態をあらわす図面を参照しつつ詳しく説明する。
図１〜図３は、本発明にかかる帽子の第１の実施の形態をあらわしている。
【００１３】
図１に示すように、この帽子Ａは、ニット帽であって、帽子Ａを被った状態で、クラウン部１ａの側頭部を臨む高さ位置に一対（図では片側しか表れていない）の髪の毛挿通孔２ａが穿設されている。
２つの髪の毛挿通孔２ａは、上下寸法が４ｃｍ前後のスリット状をしていて、クラウン部２ａの中心軸を挟んで面対称に設けられている。
【００１４】
この帽子Ａは、上記のようになっており、図２および図３に示すように、ツインテールに束ねた２つの髪の毛の束Ｈ１が、髪の毛挿通孔２ａを介してクラウン部１ａ外に出して着用できるようになっている。
すなわち、この帽子Ａは、上記のように着用することによって、ツインテールの髪型をクラウン部１ａの外部から視認できる。
また、髪の毛挿通孔２ａがスリット状に設けられているので、目立たず、従来のニット帽と同様の着用の仕方も可能である。
【００１５】
図４および図５は、本発明にかかる帽子の第２の実施の形態をあらわしている。
図４および図５に示すように、この帽子Ｂは、クラウン部１ｂと鍔部３を備えるハット型をしていて、クラウン部１ｂの両側にそれぞれ髪の毛挿通孔２ｂが穿設されている。
【００１６】
クラウン部１ｂの髪の毛挿通孔２ｂの上端縁中央部には、ループ状となるように２つ折りにされた紐状体としてのゴム紐４の両端が縫製されてクラウン部１ｂに固定されている。
すなわち、ゴム紐４は、ループ部分が、髪の毛挿通孔２ｂを臨むように設けられている。
【００１７】
この帽子Ｂは、上記の帽子Ａと同様に、ツインテールに束ねた２つの髪の毛の束を髪の毛挿通孔２ｂからクラウン部１ｂ外に露出させた状態にして着用することができるとともに、図示していないが、ループ状になったゴム紐４によって髪の毛挿通孔２ｂからクラウン部１ｂ外に出た髪の毛の束の根元を束ねることができるようになっている。
この帽子Ｂは、上記のように、ゴム紐４を備え、ゴム紐４によって髪の毛の根元部分を束ねた状態にできるので、髪の毛によって帽子Ｂのずれ動きが防止できる。
【００１８】
図６は、本発明にかかる帽子の第３の実施の形態をあらわしている。
図６に示すように、この帽子Ｃは、クラウン部１ｃと、１対の袋状カバー５を備えている。
【００１９】
クラウン部１ｃは、目だし帽タイプをしていて、上端部側の両側部に髪の毛挿通孔２ｃが穿設されているとともに、下端部側の前面部に目だし部１１，１１を備えている。
袋カバー３は、ウサギの耳様に形成された一側開口の袋状をしていて、開口端側に小径化されたゴム編み部５１を有している。
【００２０】
そして、この帽子Ｃは、図示していないが、目だし部１１，１１に目が臨むように、クラウン部１ｃを頭部に被るとともに、ツインテール状に束ねた髪の毛を髪の毛挿通孔２ｃを介してクラウン部１ｃ外に露出させて使用することができるとともに、ゴム編み部５１を拡径させながら露出した髪の毛の束を袋状カバー５内に根元まで挿入しゴム編み部５１の拡径を解除することにより、ウサギの耳様にすることができる。
【００２１】
図７は、本発明の帽子の第４の実施の形態をあらわしている。
図７に示すように、この帽子Ｄは、ニット帽であって、クラウン部１ｄの頭頂部に１つの髪の毛挿通孔２ｄが穿設されている。
【００２２】
この帽子Ｄは、上記のようになっているので、図示していないが、頭頂部の髪の毛挿通孔２ｄを介して髪の毛の束をポニーテール状あるいは髷状にしてクラウン部１ｄ外に露出させることができる。
【００２３】
本発明は、上記の実施の形態に限定されない。たとえば、  上記第２の実施の形態では、紐状体としてゴム紐が用いられていたが、リボン状をしていても構わない。
また、ゴム弾性を備えていない、布を用いるようにしても構わない。
【００２４】
上記の実施の形態では、髪の毛挿通孔が１つまたは２つであったが、３つ以上設けられていても構わない。
上記の実施の形態では、髪の毛挿通孔に蓋が設けられていながったが、着脱自在あるいは開閉自在な蓋を設けるようにしても構わない。
【符号の説明】
【００２５】
Ａ，Ｂ，Ｃ，Ｄ  帽子
１ａ，１ｂ，１ｃ，１ｄ  クラウン部
１１  目だし部
２ａ，２ｂ，２ｃ，２ｄ  髪の毛挿通孔
３  鍔部
４  ゴム紐（紐状体）
５  袋状カバー
Ｈ１  髪の毛
【図１】
2018119239.tif 000003
【図２】
2018119239.tif 000004
【図３】
2018119239.tif 000005
【図４】
2018119239.tif 000006
【図５】
2018119239.tif 000007
【図６】
2018119239.tif 000008
【図７】
2018119239.tif 000009